(57)【要約】【課題】  計画変更を行った個別看護計画の作成の基になった標準看護計画を医療従事者が容易に把握できるようにした看護支援システムを提供することを目的とする。【解決手段】  患者個別の看護行為を行うための個別看護計画と個別看護計画に対する看護実績と個別看護計画の計画変更を行った回数と個別看護計画の作成の基になった標準看護計画とを互いに紐付けて格納するデータベース３００と、入力した看護実績の変更の有無に基づいて、計画変更を行った回数をカウントし、看護実績と看護実績に該当する個別看護計画と計画変更を行った回数とをデータベース３００に格納して、医療従事者が指定する抽出条件によりデータベース３００に格納された個別看護計画と看護実績と計画変更を行った回数と標準看護計画とを抽出するとともに、この抽出結果を含んだ出力画面を生成する制御部１１とを備える。【選択図】        図２
2008134944.tif 000002
【特許請求の範囲】
【請求項１】
看護支援システムは、
医療従事者の所定の操作により、看護実績を入力する入力部と、
患者個別の看護行為を行うための個別看護計画と前記個別看護計画に対する看護実績と前記個別看護計画の計画変更を行った回数と前記個別看護計画の作成の基になった標準看護計画とを互いに紐付けて格納するデータベースと、
前記入力部で入力した看護実績の変更の有無に基づいて、前記計画変更を行った回数をカウントし、前記看護実績と前記看護実績に該当する個別看護計画と前記計画変更を行った回数とを前記データベースに格納して、医療従事者が指定する抽出条件により前記データベースに格納された前記個別看護計画と前記看護実績と前記計画変更を行った回数と前記標準看護計画とを抽出するとともに、この抽出結果を含んだ出力画面を生成する制御部と、
前記制御部で生成した出力画面を出力装置へ出力する出力部と、
を具備することを特徴とする看護支援システム。
【発明の詳細な説明】
【技術分野】
【０００１】
本発明は、病院などで個別の看護行為に基づいた個別看護計画に対する看護実績を入力し、取り纏める看護支援システムに関する。
【背景技術】
【０００２】
一般に病院では、看護行為を効率的に進めるために看護支援システムが用いられている。従来の看護支援システムでは、あらかじめ病院で設定された標準看護計画から各患者向けの個別看護計画を作成し、その個別看護計画に沿って看護行為を行った結果（看護実績）を管理している。
【０００３】
一般的に、標準看護計画は、病院の看護方針に基づいて、病院全体の看護計画として作成される。個別看護計画は、標準看護計画を各患者向けに合わせて作成される。看護実績は、個別看護計画で設定されている看護行為の看護時間やマンパワー度合いといった看護業務量に沿って看護師などの医療従事者が行った実際の看護の結果である。
【０００４】
さらに近年では、個別看護計画に対する看護実績を評価することができる看護業務管理システムが開示されている（例えば、特許文献１を参照）。
【特許文献１】特開２００６−２６０４３７号公報
【０００５】
特許文献１に記載の看護業務管理システムでは、個別看護計画に対して看護実績の評価を行うことにより、個別看護計画自体の見直しは可能である。しかしながら、特許文献１に記載の看護業務管理システムは、評価をした個別看護計画の基になっている標準看護計画を指し示さないので、見直すべき標準看護計画自体を探し出すことは困難であった。そのため、標準看護計画の見直しが行われないまま個別看護計画が作成されてしまい、作成された個別看護計画と実際の看護業務量とに差が生じてしまうという問題があった。
【発明の開示】
【発明が解決しようとする課題】
【０００６】
本発明は、このような問題を解決するために成されたものであり、計画変更を行った個別看護計画の作成の基になった標準看護計画を医療従事者が容易に把握できるようにした看護支援システムを提供することを目的とする。
【課題を解決するための手段】
【０００７】
上述した課題を解決するために、本発明の看護支援システムは、医療従事者の所定の操作により看護実績を入力する入力部を備える。また、本発明の看護支援システムは、患者個別の看護行為を行うための個別看護計画と個別看護計画に対する看護実績と個別看護計画の計画変更を行った回数と個別看護計画の作成の基になった標準看護計画とを互いに紐付けて格納するデータベースを備える。また、本発明の看護支援システムは、入力した看護実績の変更の有無に基づいて、計画変更を行った回数をカウントし、看護実績と看護実績に該当する個別看護計画と計画変更を行った回数とをデータベースに格納して、医療従事者が指定する抽出条件によりデータベースに格納された個別看護計画と看護実績と計画変更を行った回数と標準看護計画とを抽出するとともに、この抽出結果を含んだ出力画面を生成する制御部を備える。また、本発明の看護支援システムは、制御部で生成した出力画面を出力装置へ出力する出力部を備える。
【発明の効果】
【０００８】
上記のように構成された本発明によれば、看護師などの医療従事者によって変更された個別看護計画の作成の基になった標準看護計画が抽出されるので、医療従事者は、標準看護計画を容易に見直すことができ、看護実績が反映された個別看護計画を作成することができる。これにより、個別の看護行為に対する看護時間やマンパワー度合いといった看護業務量の定義の精度を上げることができる。
【発明を実施するための最良の形態】
【０００９】
以下、本発明の一実施形態を図面に基づいて説明する。本実施形態による看護支援システムのハードウェア構成図を図１に示す。同図に示すように、本実施形態による看護支援システムは、制御部１１、入力部１２、出力部１３、記憶部１４（特許請求の範囲のデータベースに該当）、外部インタフェース（Ｉ／Ｆ）部１５から構成される所謂パーソナルコンピュータ（パソコン、以下、ＰＣ１０とする）である。またシステムバス１６を介して制御部１１〜Ｉ／Ｆ部１５が接続されている。
【００１０】
入力部１２は、所謂キーボードやマウス等の入力装置で入力された看護実績や医療従事者が指定した抽出条件を制御部１１へ出力するものである。入力部１２が看護実績や抽出条件を制御部１１へ出力することにより、制御部１１は、看護実績の入力や抽出をソフトウェア的に実現する。
【００１１】
出力部１３は、制御部１１で生成された評価設定画面５００や評価抽出画面７００を所謂ディスプレイやプリンタ等の出力装置へ出力するものである。
【００１２】
記憶部１４は、所謂ＨＤＤ（ハードディスクドライブ）等の記憶装置で構成されている。記憶部１４のデータ領域は、個別看護計画と個別看護計画に対する看護実績と個別看護計画に対する計画変更の回数と個別看護計画の作成の基になった標準看護計画とを互いに紐付けて格納するデータベース３００を記憶する。また、記憶部１４のデータ領域は、看護実績の入力や抽出条件の入力を受け付ける入力プログラムを記憶する。また、記憶部１４のデータ領域は、入力された看護実績から計画変更を行った回数をカウントし、該当する個別看護計画と看護実績と計画変更の回数と個別看護計画の作成の基になった標準看護計画とをデータベース３００に格納する格納プログラムを記憶する。また、記憶部１４のデータ領域は、医療従事者が指定する抽出条件により、データベース３００に格納された個別看護計画と看護実績と計画変更の回数と標準看護計画とを抽出し、抽出結果を含んだ出力画面を生成する抽出プログラムを記憶する。
【００１３】
Ｉ／Ｆ部１５は、ネットワーク（図示しない）を介してサーバや他の端末と接続されている。なお、この例では、看護支援システムとしてＰＣ１０が用いられているが、この他にもＰＤＡ（Ｐｅｒｓｏｎａｌ  Ｄｉｇｉｔａｌ  Ａｓｓｉｓｔａｎｔｓ）端末を用いても良い。
【００１４】
制御部１１は、ＰＣ１０の動作を統括する中央処理装置（ＣＰＵ、Ｃｅｎｔｒａｌ  Ｐｒｏｃｅｓｓｉｎｇ  Ｕｎｉｔ）である。制御部１１は、記憶部１４に記憶された入力プログラムを実行することによって、看護行為に対する看護実績の入力や抽出条件の入力を受け付ける処理を行う。また、制御部１１は、記憶部１４に記憶された格納プログラムを実行することによって、入力された看護実績の変更の有無を判定し、変更されたと制御部１１にて判断した場合には、制御部１１は変更された看護実績に紐付けられている個別看護計画と計画変更の回数と標準看護計画とをデータベース３００から読み出し、計画変更の回数を１つ増やす処理を行う。そして、該当する個別看護計画と看護実績と計画変更の回数と標準看護計画とをデータベース３００に格納する処理を行う。また、制御部１１は、医療従事者が指定する抽出条件により、記憶部１４に記憶された抽出プログラムを実行することによって、データベース３００に格納された個別看護計画と看護実績と計画変更の回数と標準看護計画とを抽出し、抽出結果を含んだ出力画面を生成する処理を行う。また、制御部１１は、看護実績を入力するための評価設定画面５００と抽出結果を表示するための評価抽出画面７００とを生成する。
【００１５】
なお、本実施形態では、制御部１１は、該当する個別看護計画と看護実績と計画変更の回数と標準看護計画とをデータベース３００に格納する処理を行うが、標準看護計画は必ずしもデータベース３００に格納されるとは限らない。
【００１６】
以上の構成要素により、ＰＣ１０は、計画変更が行われた個別看護計画と個別看護計画の作成の基になった標準看護計画とを抽出して一覧画面上に表示する。これにより、医療従事者は、見直しを行うべき標準看護計画を容易に把握できる。
【００１７】
本実施形態による看護支援システムの処理を示すゼネラルフローチャートを図２に示す。同図に示すように、看護支援システムは、データ登録モード、看護実績入力モード、抽出モードのそれぞれのモードを起動することができる。制御部１１は、看護支援システムを起動すると、データ登録モードが選択されたか否かの判定を行う（ステップ２０１）。データ登録モードが選択されたと制御部１１が判断した場合には（ステップ２０１にてＹＥＳ）、制御部１１は、各患者に対する個別看護計画及びその個別看護計画の作成の基になった標準看護計画のデータをデータベース３００に登録する（ステップ２０２）。一方、データ登録モードが選択されなかったと制御部１１が判断した場合には（ステップ２０１にてＮＯ）、制御部１１は、看護実績入力モードが選択されたか否かの判定を行う（ステップ２０３）。
【００１８】
看護実績入力モードが選択されたと制御部１１が判断した場合には（ステップ２０３にてＹＥＳ）、制御部１１は、看護実績を入力する入力処理を実行する（ステップ２０４）。ここで、看護実績の入力は、看護行為時に行われる。一方、看護実績入力モードが選択されなかったと制御部１１が判断した場合には（ステップ２０３にてＮＯ）、制御部１１は、抽出モードが選択されたか否かの判定を行う（ステップ２０５）。
【００１９】
抽出モードが選択されたと制御部１１が判断した場合には（ステップ２０５にてＹＥＳ）、制御部１１は、個別看護計画と看護実績と計画変更の回数と標準看護計画とを抽出する抽出処理を実行する（ステップ２０６）。一方、抽出モードが選択されなかったと制御部１１が判断した場合には（ステップ２０５にてＮＯ）、制御部１１は、データ登録モード、看護実績入力モード、抽出モードのそれぞれのモードが選択されるまで待機状態となる。
【００２０】
次に、本実施形態による看護支援システムに使用されるデータベース３００の構成例を図３に示す。同図に示すように、データベース３００には、計画Ｎｏ３０１、個別看護計画３０２、看護コメント３０３、カウント数３０４、標準看護計画３０５が格納され、各項目３０１〜３０５は、計画Ｎｏ３０１毎に紐付けてデータベース３００に格納されている。また、標準看護計画３０５は、個別看護計画の作成の基になった標準看護計画を示す。
【００２１】
入力処理（ステップ２０２）の詳細を示すフローチャートを図４に示す。同図に示すように、入力処理が開始されると、制御部１１は、上記入力プログラムを実行し、評価設定画面５００を生成して出力部１３を介して図示しないディスプレイに表示する（ステップ４０１）。
【００２２】
評価設定画面５００の表示例を図５に示す。評価設定画面５００は各個別看護計画に対する看護実績を入力するための画面である。同図に示すように、評価設定画面５００は、看護計画表示欄５０１、評価開始日表示欄５０２、評価予定日表示欄５０３、評価選択欄５０４、看護コメント入力欄５０５、予定日変更ボタン５０６、ＯＫボタン５０７、キャンセルボタン５０８を含んでいる。看護計画表示欄５０１、評価開始日表示欄５０２、評価予定日表示欄５０３には、あらかじめ登録された個別看護計画データが表示される。評価選択欄５０４には、「終了」、「中止」、「継続」という評価が選択可能に表示される。
【００２３】
「終了」の評価は、該当する看護行為が計画通りまたは評価予定日（計画終了予定日）までに終了した場合に選択される。「終了」の評価が選択された場合には、制御部１１は、作成された看護計画の変更なしと判断する。「中止」の評価は、該当する看護行為を行っている途中、何らかの理由で中止になった場合に選択される。「中止」の評価が選択された場合には、制御部１１は、あらかじめ登録された個別看護計画の変更ありと判断する。「継続」の評価は、該当する看護行為が何らかの理由で評価予定日に終了することができず、引き続き看護を行う場合に選択される。「継続」の評価が選択された場合には、制御部１１は、あらかじめ登録された個別看護計画の変更ありと判断する。
【００２４】
予定日変更ボタン５０６が押下されると、図示しない評価予定日変更画面が表示される。医療従事者は、この評価予定日変更画面を用いて評価予定日を変更することができる。このとき、評価予定日が当初の予定日から変更された場合には、制御部１１は、あらかじめ登録された個別看護計画の変更ありと判断する。
【００２５】
ＯＫボタン５０７が押下されると、制御部１１は、評価設定画面５００で入力された各データを保存し、評価設定画面５００を閉じる。また、キャンセルボタン５０８が押下されると、制御部１１は、評価設定画面５００で入力されたデータに関係なく評価設定画面５００を閉じる。
【００２６】
図４に戻り説明する。制御部１１は、上記格納プログラムを実行し、看護実績が変更されたか否かを判定する（ステップ４０２）。看護実績が変更されたと制御部１１が判断した場合には（ステップ４０２にてＹＥＳ）、制御部１１は、データベース３００にて看護実績に紐付けられた計画変更のカウント数の値を更新する（ステップ４０４）。一方、看護実績が変更されなかった場合には（ステップ４０２にてＮＯ）、入力処理を終了する。ここで評価設定画面５００で所定の項目が入力され、ＯＫボタンが押下された場合に、制御部１１は、看護実績が変更されたと判断する。また、所定の項目の入力とは、評価設定画面５００の評価選択欄５０４にて「中止」の評価か「継続」の評価が選択されたり、予定日変更ボタン５０６が押下されて、評価予定日が当初の予定日よりも後の日付に変更されたりすることを示す。
【００２７】
次に、抽出処理（ステップ２０３）の詳細を説明する。図６は、抽出処理を示すフローチャートである。同図に示すように、抽出処理が開始されると、制御部１１は、上記の抽出プログラムを実行し、抽出条件が入力されたか否かを判定する（ステップ６０１）。抽出条件が入力されたと制御部１１が判断した場合には（ステップ６０１にてＹＥＳ）、制御部１１は、データベース３００に格納されている個別看護計画と看護実績と計画変更の回数と標準看護計画とを抽出する（ステップ６０２）。一方、抽出条件が入力されなかったと制御部１１が判断した場合には（ステップ６０１にてＮＯ）、制御部１１が抽出条件が入力されるまで待機状態となる。制御部１１は、データベース３００に格納されている個別看護計画と看護実績と計画変更の回数と標準看護計画とを抽出すると（ステップ６０２）、制御部１１は、抽出結果を含んだ評価抽出画面７００を生成し、図示しないディスプレイに表示し（ステップ６０３）、抽出処理を終了する。
【００２８】
評価抽出画面７００の表示例を図７に示す。同図に示すように、評価抽出画面７００は、計画Ｎｏ表示欄７０１、カウント数表示欄７０２、個別看護計画表示欄７０３、標準看護計画表示欄７０４を含んでいる。評価抽出画面７００では、変更された個別看護計画の作成の基になっている標準看護計画が表示されるため、医療従事者は、変更する必要がある標準看護計画を容易に把握することができる。
【００２９】
以上詳しく説明したように、本実施形態の看護支援システムは、医療従事者の所定の操作により、看護実績を入力する入力部１２を備える。また、本実施形態の看護支援システムは、患者個別の看護行為を行うための個別看護計画と個別看護計画に対する看護実績と個別看護計画の計画変更を行った回数と個別看護計画の作成の基になった標準看護計画とを互いに紐付けて格納するデータベース３００を備える。また、本実施形態の看護支援システムは、入力した看護実績の変更の有無に基づいて、計画変更を行った回数をカウントし、看護実績と看護実績に該当する個別看護計画と計画変更を行った回数とをデータベース３００に格納して、医療従事者が指定する抽出条件によりデータベース３００に格納された個別看護計画と看護実績と計画変更を行った回数と標準看護計画とを抽出するとともに、この抽出結果を含んだ出力画面を生成する制御部１１を備える。また、本実施形態の看護支援システムは、制御部で生成した出力画面を出力装置へ出力する出力部１３を備える。
【００３０】
これにより、計画変更を行った個別看護計画の作成の基になった標準看護計画が抽出されるので、医療従事者は、標準看護計画を容易に見直すことができ、看護実績が反映された個別看護計画を作成することができる。これにより、個別の看護行為に対する看護時間やマンパワー度合いといった看護業務量の定義の精度を上げることができる。
【００３１】
なお、本実施形態の評価抽出画面７００には、個別看護計画の変更が行われた看護計画一覧が表示されているが、この他にも、患者毎に抽出した個別看護計画一覧や全患者を対象にした個別看護計画一覧を表示させても良い。
【００３２】
また、本実施形態の評価抽出画面７００には、カウント数が多い順に看護計画一覧が表示されているが、この他にも、評価選択内容毎や更新順にソートした看護計画一覧を表示させても良い。さらには、各看護計画に該当する看護コメントを評価抽出画面７００に表示させても良い。
【図面の簡単な説明】
【００３３】
【図１】本実施形態の看護支援システムのハードウェア構成図である。
【図２】本実施形態の看護支援システムの処理を示すゼネラルフローチャートである。
【図３】データベースの構成例を示す説明図である。
【図４】入力処理の詳細を示すフローチャートである。
【図５】評価設定画面の表示例を示す説明図である。
【図６】抽出処理の詳細を示すフローチャートである。
【図７】評価抽出画面の表示例を示す説明図である。
【符号の説明】
【００３４】
１０    パーソナルコンピュータ（ＰＣ）
１１    制御部
１２    入力部
１３    出力部
１４    記憶部
１５    外部インタフェース（Ｉ／Ｆ）部
３００  データベース
３０１  計画Ｎｏ
３０２  看護計画
３０３  看護コメント
３０４  カウント数
３０５  標準看護計画
５００  評価設定画面
５０１  看護計画表示欄
５０２  評価開始日表示欄
５０３  評価予定日表示欄
５０４  評価選択欄
５０５  コメント入力欄
５０６  予定日変更ボタン
５０７  ＯＫボタン
５０８  キャンセルボタン
７００  評価抽出画面
７０１  計画Ｎｏ
７０２  カウント数
７０３  個別看護計画
７０４  標準看護計画
【図１】
2008134944.tif 000003
【図２】
2008134944.tif 000004
【図３】
2008134944.tif 000005
【図４】
2008134944.tif 000006
【図５】
2008134944.tif 000007
【図６】
2008134944.tif 000008
【図７】
2008134944.tif 000009